(57)【特許請求の範囲】
【請求項１】
複数の基地局それぞれが形成するセル内で移動局と基地局とが無線により通信を行う移動通信システムにおいて、
各基地局は、
移動方向と周波数帯域の優先度の関連づけ情報である複数の優先度情報を報知する優先度情報報知手段を有し、
移動局は、
待ち受け動作中に受信品質が低下したとき、前記基地局から報知された複数の優先度情報から、推定される自局の移動方向に応じた優先度情報を選択する優先度情報選択手段と、
選択した優先度情報に含まれる周波数帯域で受信したセルのうち受信状態が所要条件を満たすセルを新たな待ち受けセルとして選択する待ち受けセル選択手段と、を有する
ことを特徴とする移動通信システム。
【請求項２】
請求項１記載の移動通信システムにおいて、
前記複数の優先度情報は、移動方向毎の複数の周波数帯域の優先度である
ことを特徴とする移動通信システム。
【請求項３】
複数の基地局それぞれが形成するセル内で移動局と基地局とが無線により通信を行う移動通信システムのセル選択方法において、
各基地局は、移動方向と周波数帯域の優先度の関連づけ情報である複数の優先度情報を報知し、
移動局は、待ち受け動作中に受信品質が低下したとき、前記基地局から報知された複数の優先度情報から、推定される自局の移動方向に応じた優先度情報を選択し、
選択した優先度情報に含まれる周波数帯域で受信したセルのうち受信状態が所要条件を満たすセルを新たな待ち受けセルとして選択する
ことを特徴とするセル選択方法。
【請求項４】
複数の基地局それぞれが形成するセル内で移動局と基地局とが無線により通信を行う移動通信システムの基地局装置において、
移動方向と周波数帯域の優先度の関連づけ情報である複数の優先度情報を報知する優先度情報報知手段を
有することを特徴とする基地局装置。
【請求項５】
複数の基地局それぞれが形成するセル内で移動局と基地局とが無線により通信を行う移動通信システムの移動局装置において、
待ち受け動作中に受信品質が低下したとき、前記基地局から報知された移動方向と周波数帯域の優先度の関連づけ情報である複数の優先度情報から、推定される自局の移動方向に応じた優先度情報を選択する優先度情報選択手段と、
選択した優先度情報に含まれる周波数帯域で受信したセルのうち受信状態が所要条件を満たすセルを新たな待ち受けセルとして選択する待ち受けセル選択手段と、
を有することを特徴とする移動局装置。
【発明の詳細な説明】
【技術分野】
【０００１】
本発明は、移動通信システム、セル選択方法、基地局装置及び移動局装置に関する。
【背景技術】
【０００２】
携帯電話などの移動通信システムは、基地局が送受信可能な範囲であるエリア（セル）を複数組み合わせて広いエリアをカバーし、移動局の移動に伴い通信する基地局を切り替えながら通信を継続するセルラー方式が主流となっている。【０００３】
現在はＣＤＭＡ（Ｄｉｒｅｃｔ  Ｓｅｑｕｅｎｃｅ  Ｃｏｄｅ  Ｄｉｖｉｓｉｏｎ  Ｍｕｌｔｉｐｌｅ  Ａｃｃｅｓｓ：直接拡散符号分割多元接続）方式による第３世代移動通信方式のサービスが行われているが、その一方で、より高速な通信を可能とする次世代移動通信方式の検討が盛んに検討されている。３ＧＰＰ（３ｒｄ  Ｇｅｎｅｒａｔｉｏｎ  Ｐａｒｔｎｅｒｓｈｉｐ  Ｐｒｏｊｅｃｔ）においては、サービス開始を目指してＬＴＥ（Ｌｏｎｇ  Ｔｅｒｍ  Ｅｖｏｌｕｔｉｏｎ）が検討されている（例えば非特許文献１参照）。更に、その発展版であるＬＴＥ−ａｄｖａｎｃｅｄが検討されている（例えば非特許文献２，３，４参照）。また、ＬＴＥ−ａｄｖａｎｃｅｄでは、高スループット化などを目的として、周波数アグリゲーションの導入が行われる予定である。
【先行技術文献】
【非特許文献】
【０００４】
【非特許文献１】３ＧＰＰ  ＴＲ２５．９１３  Ｖ７．３．０
【非特許文献２】３ＧＰＰ  ＴＳ３６．９１３  Ｖ８．０．１
【非特許文献３】３ＧＰＰ  ＴＳ３６．３０４  Ｖ８．５．０，Ｓｅｃ．５．２．４
【非特許文献４】３ＧＰＰ  ＴＳ３６．３３１  Ｖ８．８．０，Ｓｅｃ．６．３．１
【発明の概要】
【発明が解決しようとする課題】
【０００５】
一般に移動通信システムでは、移動局は待ち受け中には、受信レベル又は通信品質に基づいてセルの選択及び再選択を行う。ＬＴＥにおいては、待ち受けに使用している周波数帯域（Ｉｎｔｒａ−ｆｒｅｑｕｅｎｃｙ）と異なる周波数帯域（Ｉｎｔｅｒ−ｆｒｅｑｕｅｎｃｙ）を用いているセルが再選択先に含まれる場合には、異なる選択基準が用いられる。【０００６】
具体的には、周波数帯域毎に優先度が設定されており、移動局はまず優先度の高い周波数帯域内でセル探索を行って、受信レベルが所要値を満たし、かつ、最大の受信レベルを持つ基地局が形成するセルを新たな待ち受け先セルとして選択する。ここでもし、所要値を満たすセルが見つからない場合には、次の優先度の周波数帯域でセル探索を行う。全ての周波数帯域で所要値を満たすセルが見つからない場合には、当該移動局は圏外となる。【０００７】
このようなセル選択方法を用いた場合、実際には低い優先度のセルの方が強い受信レベルとなる場合でも、優先度の高い周波数帯域で受信レベルが所要値を満たすセルが存在したらそのセルが選択されてしまい、移動局は必ずしも適切なセルを選択できないことになる。【０００８】
ＬＴＥにおける、セル再選択手順を以下に示す。
（１）移動局は待ち受け中に受信レベルが低下すると、セル再選択を起動する。
（２）複数の周波数帯域（例えばＦ１，Ｆ２）が報知されている場合は、優先度の高い周波数帯域（例えばＦ１）からセルサーチを実行する。
（３）Ｆ１でセルサーチの結果検出した最大の受信レベルを持つ基地局が所要の受信レベルを満たす場合は、その基地局を新たな待ち受け先基地局として、セル再選択を終了する。
（４）所要の受信レベルを満たす基地局がない場合は、次の優先度の周波数帯域（Ｆ２）のセルサーチを実行する。
（５）Ｆ２でセルサーチの結果検出した最大の受信レベルを持つ基地局が所要の受信レベルを満たす場合は、その基地局を新たな待ち受け先基地局として、セル再選択を終了する。
（６）全ての周波数帯域のサーチを行っても所要の受信レベルを満たす基地局がなければ圏外となる。【０００９】
図１及び図２は、従来のセル再選択方法の一例を説明するための図を示す。ここで、移動局はセル＃Ａに在圏し、セル＃０〜＃５はセル＃Ａの周辺セルを示す。ハッチングを施したセル＃Ａ及びセル＃４，＃５，＃０は周波数帯域Ｆ１を使用し、ハッチングのないセル＃１，＃２，＃３は周波数帯域Ｆ２を使用するものとする。【００１０】
図１において、優先度は周波数帯域Ｆ１より周波数帯域Ｆ２が高いものとする。このとき、移動局がセル＃Ａから矢印のように移動してセル＃Ａを出ると、セル＃Ａの受信レベルが低下するので、新たな待ち受け先を選択するためにセル探索を実行する。移動局は、まず優先度の高い周波数帯域Ｆ２のセル＃１，＃２，＃３を探索する。移動局の移動方向にはセル＃１が最も近く、したがって最も受信レベルも高くなる。セル＃１の受信レベルは所要値を満たすので、新たな待ち受け先セルとしてセル＃１が選択される。しかし、移動局にとって最も受信レベルが高くなると予想されるのは、この場合はセル＃０であり、本来ならセル＃０が選択されるべきである。【００１１】
一方、図２において、優先度は周波数帯域Ｆ２より周波数帯域Ｆ１が高いものとする。このとき、移動局がセル＃Ａから矢印のように移動してセル＃Ａを出ると、セル＃Ａの受信レベルが低下するので、新たな待ち受け先を選択するためにセル探索を実行する。移動局は、まず優先度の高い周波数帯域Ｆ１のセル＃４，＃５，＃０を探索する。移動局の移動方向にはセル＃０が最も近く、したがって最も受信レベルも高くなる。セル＃０の受信レベルは所要値を満たすので、新たな待ち受け先セルとしてセル＃０が選択される。しかし、移動局にとって最も受信レベルが高くなると予想されるのは、この場合はセル＃１であり、本来ならセル＃１が選択されるべきである。【００１２】
このように、各基地局が固定的な優先度を用いている場合には、適切ではないセルが移動局によって選択されてしまうという問題あった。特に、ＬＴＥ−Ａｄｖａｎｃｅｄでは周波数アグリゲーションの導入が検討されており、それに伴い各セルは異なる複数の周波数帯域を待ち受けに使用することも考えられ、その場合には移動局はセルを移動する毎に異なる複数の周波数帯域でのセル選択動作を行う可能性があり、適切ではないセルを選択してしまうおそれが大きくなる。【００１３】
そこで、目的の一つは、上記の点に鑑みなされたものであり、適切なセルを待ち受け先として選択できる移動通信システムを提供することである。
【課題を解決するための手段】
【００１４】
複数の基地局それぞれが形成するセル内で移動局と基地局とが無線により通信を行う移動通信システムにおいて、各基地局は、移動方向と周波数帯域の優先度の関連づけ情報である複数の優先度情報を報知する優先度情報報知手段を有し、移動局は、待ち受け動作中に受信品質が低下したとき、前記基地局から報知された複数の優先度情報から、推定される自局の移動方向に応じた優先度情報を選択する優先度情報選択手段と、選択した優先度情報に含まれる周波数帯域で受信したセルのうち受信状態が所要条件を満たすセルを新たな待ち受けセルとして選択する待ち受けセル選択手段と、を有する。
【発明の効果】
【００１５】
本実施形態によれば、適切なセルを待ち受け先として選択することができる。
【図面の簡単な説明】
【００１６】
【図１】従来のセル再選択方法の一例を説明するための図である。
【図２】従来のセル再選択方法の一例を説明するための図である。
【図３】セル選択方法の第１実施形態を説明するための図である。
【図４】基地局装置の第１実施形態の構成図である。
【図５】セルグループテーブルの一実施形態を示す図である。
【図６】移動局装置の第１実施形態の構成図である。
【図７】セル再選択処理の第１実施形態のフローチャートである。
【図８】セル選択方法の第２実施形態を説明するための図である。
【図９】基地局装置の第２実施形態の構成図である。
【図１０】優先度セットテーブルの一実施形態を示す図である。
【図１１】移動局装置の第２実施形態の構成図である。
【図１２】セル再選択処理の第２実施形態のフローチャートである。
【発明を実施するための形態】
【００１７】
以下、図面に基づいて実施形態を説明する。
【００１８】
＜第１実施形態＞
第１実施形態では、移動局は自局の移動履歴などから移動方向を推定し、基地局が報知する移動方向とセルグループの関連づけ情報から探索するセルグループを選択し、その中から受信レベル又は受信品質等の受信状態に応じて新しい待ち受け先のセルを選択する。
【００１９】
図３はセル選択方法の第１実施形態を説明するための図を示す。図中、楕円にてセルを表し、楕円内の英数字でセル番号を示す。ここで、移動局はセル＃Ａに在圏し、セル＃０〜＃５はセル＃Ａの周辺セルを示す。ハッチングを施したセル＃Ａ及びセル＃４，＃５，＃０は周波数帯域Ｆ１を使用し、ハッチングのないセル＃１，＃２，＃３は周波数帯域Ｆ２を使用するものとする。
【００２０】
各セルは、移動局の移動方向毎のセルグループ情報を報知情報として定期的に報知する。セルグループ情報は、自局の周辺セルを移動方向に応じた複数のセルグループを有し、各セルグループは複数のセルのセル番号と当該セルの周波数帯域の情報を含む。
【００２１】
セル＃Ａに在圏する移動局が、受信レベル（又は受信品質）の低下を検出すると、新たな待ち受け先のセルを決定するためにセル再選択を実行する。このとき、移動局はまず、移動方向を推定する。移動方向はＧＰＳなどでも可能であるが、自局の移動履歴から推定することも可能である。
【００２２】
例えば移動局がセル＃Ａの前にセル＃３に在圏したとすれば、移動方向は矢印（１）の方向であると推定できる。移動方向が推定できると、移動局はセル＃Ａの基地局が報知している報知情報から、矢印（１）のように移動している移動局が探索すべきセルグループを選択する。この場合は選択するセルグループには破線で囲むセル＃５，＃０，＃１が含まれる。
【００２３】
移動局はセル＃５，＃０，＃１それぞれの受信レベル（又は受信品質）を測定し、適切なセル（ここではセル＃０）を新たな待ち受け先のセルとして選択する。
【００２４】
＜基地局装置＞
図４は各セルを構成する基地局装置の第１実施形態の構成図を示す。ここでは、下り方向のユーザデータ及び制御データに関連する処理を行う部分を示している。図４において、基地局装置１０は、制御部１１と、ユーザデータ処理部１２と送信部１３を有している。
【００２５】
基地局装置１０では周辺セルの基地局の配置状況と、各セルが使用している周波数帯域は既知である。これにより、制御部１２内のセルグループ情報格納部１４には移動方向にセルグループを対応させたセルグループテーブル情報が予め登録されている。
【００２６】
図５にセルグループテーブルの一実施形態を示す。図５に示すセルグループテーブルは、図３におけるセル＃Ａを形成する基地局装置１０のセルグループ情報格納部１４の内容を例にとって示している。ここで、移動方向はセル＃Ａの基地局装置から北方向（セル＃０方向）を０°として右回りの角度で示している。セルグループは、セルグループを構成する複数のセルのセル番号と、各セルの周波数帯域（セル番号の後に括弧書で示す）が登録されている。なお、ここでは、セルグループテーブルの移動方向を６方向としているが、６方向未満であっても良く、６方向以上であっても良い。
【００２７】
制御部１２内の報知情報生成部１５は、上位装置（例えば基地局制御装置）から制御情報を供給されると共に、セルグループ情報格納部１４からセルグループテーブル情報を供給されている。報知情報生成部１５は上記制御情報及びセルグループテーブル情報から報知情報を生成し、報知情報の誤り訂正符号化及び指定された変調方式でのデータ変調を行って下り制御信号として送信部１３に供給する。
【００２８】
ユーザデータ処理部１２は上位装置（例えば基地局制御装置）から下り方向のユーザデータを供給される。ユーザデータ処理部１２はユーザデータの誤り訂正符号化及び指定された変調方式でのデータ変調を行って下りデータ信号として送信部１３に供給する。
【００２９】
送信部１３は制御部１１からの下り制御信号とユーザデータ処理部１２からの下りデータ信号を多重して所定の無線アクセス方式（ＯＦＤＭＡ：Ｏｒｔｈｏｇｏｎａｌ  Ｆｒｅｑｕｅｎｃｙ  Ｄｉｖｉｓｉｏｎ  Ｍｕ１ｔｉｐ１ｅｘｉｎｇ  Ａｃｃｅｓｓ）の信号を生成する。その後、Ｄ／Ａ変換を行うことによりベースバンドから無線周波数への変換を行って、アンテナ１６から無線周波数の信号を送信する。
【００３０】
なお、非特許文献４のＳＩＢ３（Ｓｙｓｔｅｍ  Ｉｎｆｏｍａｔｉｏｎ  Ｂｏｏｋ  ｔｙｐｅ３）−ＳＩＢ８に、周辺セルに関する報知情報に関する記載がある。このうち、ＳＩＢ５に記載されているＩｎｔｒａ−ｆｒｅｑｕｅｎｃｙセル再選択情報の周波数毎の構成を移動方向毎の構成に変更して上記セルグループテーブルの情報を報知することができる。
【００３１】
＜移動局装置＞
図６は移動局装置の第１実施形態の構成図を示す。ここでは、下り方向のユーザデータ及び制御データに関連する処理を行う部分を示している。図６において、移動局装置２０は、受信部２１と、制御部２２と、ユーザデータ処理部２３を有している。
【００３２】
受信部２１はアンテナ２４で受信した無線周波数の信号をベースバンドに変換し、Ａ／Ｄ変換を行う。更に、所定の無線アクセス方式（ＯＦＤＭＡ）に対する受信処理（ＯＦＤＭＡの場合は、ＦＦＴタイミング検出、ＧＩ（ガードインターバル）除去、ＦＦＴ処理等）を行って、受信信号をデータ信号と制御信号に分離する。分離した制御信号は制御部２２に供給され、データ信号はユーザデータ処理部２３に供給される。
【００３３】
制御部２２内の報知情報処理部２６は受信部２１から供給される制御信号から図５に示すセルグループテーブル情報を抽出してセルグループ選択部２７に供給する。セルグループ選択部２７はセルグループテーブル情報を格納する。
【００３４】
移動履歴管理部２８は自局が過去に在圏したセルの情報を記憶している。移動方向推定部２９は、測定部３０から受信部２１における受信レベル（又は受信品質）が所定の閾値より低下したことを通知されると、移動履歴管理部２８から自局が過去に在圏したセルの情報を供給され、この情報を基に自局の移動方向を推定してセルグループ選択部２７に通知する。なお、移動履歴管理部２８に過去のＧＰＳ情報を記憶しておき、移動方向推定部２９でＧＰＳ情報を基に移動方向を推定する構成であっても良い。
【００３５】
セルグループ選択部２７は図５に示すセルグループテーブル情報から自局の移動方向に対応するセルグループを選択して、選択したセルグループに含まれる複数のセルのセル番号と周波数帯域を順に読み出して受信部２１に供給する。受信部２１では選択したセルグループに含まれる複数のセルのセル番号と周波数帯域を供給されると、上記複数のセルそれぞれの周波数帯域をサーチする。
【００３６】
制御部２２内の測定部３０は受信部２１における受信レベル（又は受信品質）を測定して測定値をセル選択部３１に通知する。また、上記の受信レベル（又は受信品質）が所定の閾値以上か又は未満かの情報をセル選択部３１と移動方向推定部２９に通知する。
【００３７】
セル選択部３１は受信部２１でセルグループに含まれる複数のセルをサーチしている際に、受信レベル（又は受信品質）が所定の閾値以上のセルであって、かつ、最大の受信レベル（又は受信品質）のセルを待ち受け先のセル（再選択セル）として選択し、当該セル情報を保持して受信部２１に通知する。
【００３８】
＜フローチャート＞
図７は移動局装置が実行するセル再選択処理の第１実施形態のフローチャートを示す。図７において、ステップＳ１で測定部３０は受信レベル（又は受信品質）が所定の閾値より低下したか否かを判別し、閾値より低下した場合にはステップＳ２に進み、閾値以上の場合にはこの処理を終了する。
【００３９】
ステップＳ２で移動方向推定部２９は移動履歴管理部２８から供給される自局が過去に在圏したセルの情報を基に自局の移動方向を推定する。ステップＳ３でセルグループ選択部２７はセルグループテーブル情報から自局の移動方向に対応するセルグループを選択する。ステップＳ４で測定部３０は選択したセルグループに含まれる複数のセルをサーチして、セルグループに含まれる各セルの受信レベル（又は受信品質）を測定する。
【００４０】
次に、ステップＳ５でセル選択部３１は最大の受信レベル（又は受信品質）のセルは所要値を満たすか、すなわち、受信レベル（又は受信品質）が閾値以上であるかを判別する。ステップＳ５の条件を満たす場合にはステップＳ６で当該セル（最大の受信レベルのセル）を新たな待ち受け先のセルとして選択する。一方、ステップＳ５の条件を満たさない場合にはステップＳ７で圏外と認識する。上記のステップＳ６又はＳ７を実行した後、この処理を終了する。
【００４１】
これにより、移動局の移動方向に応じて適切なセルを待ち受け先として選択することができる。
【００４２】
なお、上記実施形態では、報知情報生成部１５をセルグループ情報報知手段の一例として用い、セルグループ選択部２７をセルグループ情報選択手段の一例として用い、セル選択部３１を待ち受けセル選択手段の一例として用いている。
【００４３】
＜第２実施形態＞
第２実施形態では、移動局は自局の移動履歴などから移動方向を推定し、基地局が報知する、移動方向と優先度の関連づけ情報から、優先度の高い周波数帯域を選択し、その中から受信レベル（又は受信品質）等に応じて新しい待ち受け先のセルを選択する。
【００４４】
図８はセル選択方法の第２実施形態を説明するための図を示す。図中、楕円にてセルを表し、楕円内の英数字でセル番号を示す。ここで、移動局はセル＃Ａに在圏し、セル＃０〜＃５はセル＃Ａの周辺セルを示す。ハッチングを施したセル＃Ａ及びセル＃４，＃５，＃０は周波数帯域Ｆ１を使用し、ハッチングのないセル＃１，＃２，＃３は周波数帯域Ｆ２を使用するものとする。
【００４５】
各セルは、移動局の移動方向毎の周波数帯域の優先度セット情報（移動方向に応じた優先度セットで、第１優先度の周波数帯域、第２優先度の周波数帯域、等の情報）を報知情報として定期的に報知する。
【００４６】
セル＃Ａに在圏する移動局が、受信レベル（又は受信品質）の低下を検出すると、新たな待ち受け先のセルを決定するために再選択を実行する。このとき、移動局はまず、移動方向を推定する。移動方向はＧＰＳなどでも可能であるが、自局の移動履歴から推定することも可能である。
【００４７】
例えば移動局がセル＃Ａの前にセル＃４に在圏したとすれば、移動方向は矢印（２）の方向であると推定できる。移動方向が推定できると、移動局はセル＃Ａの基地局が報知している報知情報から、周波数帯域の優先度セットを選択する。移動方向が矢印（２）方向である優先度セットでは、周波数帯域Ｆ２の優先度が高く（第１優先度）設定されている。
【００４８】
移動局はＦ２の周波数帯域、すなわちセル＃１，＃２，＃３の受信レベル（又は受信品質）を測定し、適切なセル（ここではセル＃１）を新たな待ち受け先のセルとして選択する。
【００４９】
ところで、移動方向と優先度の関連づけについて、方向によってはどの周波数帯域の優先度を高くするべきかを断定できない場合も起こり得る。例えば移動局がセル＃Ａから矢印（３）方向に進む場合が、上記の断定できない場合に相当する。その場合には、矢印（３）方向に対応する優先度セットで、複数の周波数帯域Ｆ１，Ｆ２に同じ優先度（第１優先度）を付与することも可能である。その場合、移動局は、複数の周波数を探索してその中から適切な基地局を選択する。
【００５０】
＜基地局装置＞
図９は各セルを構成する基地局装置の第２実施形態の構成図を示す。ここでは、下り方向のユーザデータ及び制御データに関連する処理を行う部分を示している。図９において、基地局装置４０は、制御部４１と、ユーザデータ処理部４２と送信部４３を有している。
【００５１】
基地局では周辺セルの基地局の配置状況と、各セルが使用している周波数帯域は既知である。これにより、制御部４２内のセルグループ情報格納部４４には移動方向に周波数帯域の優先度セットを対応させた優先度セットテーブル情報が予め登録されている。
【００５２】
図１０に優先度セットテーブルの一実施形態を示す。図１０に示す優先度セットテーブルは、図８におけるセル＃Ａを形成する基地局装置４０の優先度セット情報格納部４４の内容を例にとって示している。ここで、移動方向はセル＃Ａの基地局装置から北方向（セル＃０方向）を０°として右回りの角度で示している。優先度セットは、第１優先度の周波数帯域、第２優先度の周波数帯域、第３優先度の周波数帯域、第４優先度の周波数帯域、等（この実施形態では第２優先度まで）が登録されている。なお、ここでは、優先度セットテーブルの移動方向を６方向としているが、６方向未満であっても良く、６方向以上であっても良い。
【００５３】
制御部４２内の報知情報生成部４５は、上位装置（例えば基地局制御装置）から制御情報を供給されると共に、優先度セット情報格納部４４から優先度セットテーブル情報を供給されている。報知情報生成部４５は上記制御情報及び優先度セットテーブル情報から報知情報を生成し、報知情報の誤り訂正符号化及び指定された変調方式でのデータ変調を行って下り制御信号として送信部４３に供給する。
【００５４】
ユーザデータ処理部４２は上位装置（例えば基地局制御装置）から下り方向のユーザデータを供給される。ユーザデータ処理部４２はユーザデータの誤り訂正符号化及び指定された変調方式でのデータ変調を行って下りデータ信号として送信部４３に供給する。
【００５５】
送信部４３は制御部４１からの下り制御信号とユーザデータ処理部４２からの下りデータ信号を多重して所定の無線アクセス方式（ＯＦＤＭＡ）の信号を生成する。その後、Ｄ／Ａ変換及び直交変調を行うことによりベースバンドから無線周波数への変換を行って、アンテナ４６から無線周波数の信号を送信する。
【００５６】
この実施形態においても、ＳＩＢ５に記載されているＩｎｔｒａ−ｆｒｅｑｕｅｎｃｙセル再選択情報の周波数毎の構成を移動方向毎の構成に変更して上記セルグループテーブルの情報を報知することができる。
【００５７】
＜移動局装置＞
図１１は移動局装置の第２実施形態の構成図を示す。ここでは、下り方向のユーザデータ及び制御データに関連する処理を行う部分を示している。図１１において、移動局装置５０は、受信部５１と、制御部５２と、ユーザデータ処理部５３を有している。
【００５８】
受信部５１はアンテナ５４で受信した無線周波数の信号をベースバンドに変換し、直交復調及びＡ／Ｄ変換を行う。更に、所定の無線アクセス方式（ＯＦＤＭＡ）に対する受信処理（ＯＦＤＭＡの場合は、ＦＦＴタイミング検出、ＧＩ除去、ＦＦＴ処理等）を行って、受信信号をデータ信号と制御信号に分離する。分離した制御信号は制御部５２に供給され、データ信号はユーザデータ処理部５３に供給される。
【００５９】
制御部５２内の報知情報処理部５６は受信部５１から供給される制御信号から図１０に示す優先度セットテーブル情報を抽出して優先度セット選択部５７に供給する。優先度セット選択部５７は優先度セットテーブル情報を格納する。
【００６０】
移動履歴管理部５８は自局が過去に在圏したセルの情報を記憶している。移動方向推定部５９は、測定部６０から受信部５１における受信レベル（又は受信品質）が所定の閾値より低下したことを通知されると、移動履歴管理部５８から自局が過去に在圏したセルの情報を供給され、この情報を基に自局の移動方向を推定してセルグループ選択部５７に通知する。なお、移動履歴管理部５８に過去のＧＰＳ情報を記憶しておき、移動方向推定部５９でＧＰＳ情報を基に移動方向を推定する構成であっても良い。
【００６１】
セルグループ選択部５７は図１０に示す優先度セットテーブル情報から自局の移動方向に対応する優先度セットを選択して、選択した優先度セットに含まれる周波数帯域を周波数選択部６２に供給する。周波数選択部６２は優先度セットに含まれる優先度を高い順（第１優先度，第２優先度の順）に選択し、選択した優先度の周波数帯域を読み出して受信部５１に供給する。受信部５１では選択した優先度の周波数帯域を供給されると、当該周波数帯域をサーチする。
【００６２】
制御部５２内の測定部６０は受信部５１における受信レベル（又は受信品質）を測定して測定値をセル選択部６１に通知する。また、上記の受信レベル（又は受信品質）が所定の閾値以上か、又は未満かの情報をセル選択部６１と移動方向推定部５９に通知する。
【００６３】
セル選択部６１は受信部５１で周波数帯域をサーチしている際に、受信レベル（又は受信品質）が所定の閾値以上のセルであって、かつ、最大の受信レベル（又は受信品質）のセルを待ち受け先のセル（再選択セル）として選択し、当該セル情報を保持して受信部５１に通知する。
【００６４】
＜フローチャート＞
図１２は移動局装置が実行するセル再選択処理の第２実施形態のフローチャートを示す。図１２において、ステップＳ１１で測定部６０は受信レベル（又は受信品質）が所定の閾値より低下したか否かを判別し、閾値より低下した場合にはステップＳ１２に進み、閾値以上の場合にはこの処理を終了する。
【００６５】
ステップＳ１２で移動方向推定部５９は移動履歴管理部５８から供給される自局が過去に在圏したセルの情報を基に自局の移動方向を推定する。ステップＳ１３で優先度セット選択部５７は優先度セットテーブル情報から自局の移動方向に対応する優先度セットを選択する。ステップＳ１４で周波数選択部６２は優先度セットに含まれる周波数帯域を優先度が高い順に選択する。そして、ステップＳ１５で周波数選択部６２は選択した優先度の周波数帯域を読み出し受信部５１に供給する。このように、ステップＳ１４，Ｓ１５を分けているのは、１つの優先度に複数の周波数帯域が設定されている場合があるからである。
【００６６】
ステップＳ１６で測定部６０は選択した周波数帯域をサーチして、受信レベル（又は受信品質）を測定する。
【００６７】
次に、ステップＳ１７でセル選択部６１は最大の受信レベル（又は受信品質）のセルは所要値を満たすか、すなわち、受信レベル（又は受信品質）が閾値以上であるかを判別する。ステップＳ１７の条件を満たす場合にはステップＳ１８で当該セル（最大の受信レベルのセル）を新たな待ち受け先のセルとして選択して、この処理を終了する。
【００６８】
一方、ステップＳ１７の条件を満たさない場合には、ステップＳ１９において次の周波数（同一の優先度）があるか、又は、次の優先度があるかを判別する。次の周波数又は次の優先度がある場合には、ステップＳ２０で次の周波数又は次の優先度を設定してステップＳ１５に進む。
【００６９】
ステップＳ１９において次の周波数がなく、かつ、次の優先度がない場合には、ステップＳ２１で圏外と認識し、この処理を終了する。
【００７０】
これにより、移動局の移動方向に応じて適切なセルを待ち受け先として選択することができる。
【００７１】
なお、上記実施形態では、報知情報生成部４５を優先度情報報知手段の一例として用い、優先度セット選択部５７を優先度情報選択手段の一例として用い、セル選択部６１を待ち受けセル選択手段の一例として用いている。
【００７２】
上記の各実施形態によれば、簡単な方法で適切なセルを待ち受け先として選択することができ、したがって、待ち受け状態から通信を開始しても、他局からの干渉や、他局へ与える干渉を削減することが可能となり、セル選択に要する処理遅延も低減することができる。
【符号の説明】
【００７３】
１０，４０  基地局装置
１１，４１  制御部
１２，４２  ユーザデータ処理部
１３，４３  送信部
１４  セルグループ情報格納部
１５，４５  報知情報生成部
２０，５０  移動局装置
２１，５１  受信部
２２，５２  制御部
２３，５３  ユーザデータ処理部
２６，５６  報知情報処理部
２７  セルグループ選択部
２８，５８  移動履歴管理部
２９，５９  移動方向推定部
３０，６０  測定部
３１，６１  セル選択部
４４  優先度セット情報格納部
５７  優先度セット選択部
６２  周波数選択部
【図１】
0005457545.tif 000002
【図２】
0005457545.tif 000003
【図３】
0005457545.tif 000004
【図４】
0005457545.tif 000005
【図５】
0005457545.tif 000006
【図６】
0005457545.tif 000007
【図７】
0005457545.tif 000008
【図８】
0005457545.tif 000009
【図９】
0005457545.tif 000010
【図１０】
0005457545.tif 000011
【図１１】
0005457545.tif 000012
【図１２】
0005457545.tif 000013